(57)【要約】　　　（修正有）【課題】ブラジャーに内装または装着してバストを豊かに見せると共に乳房の形状を補整機能により美しく保ち、さらに乳房をサポートする機能が高く、乳房に苦痛を与えることなく装着感触に優れ、かつ、通気性が良好で蒸れ解消機能の高いウレタンフォームからなるカップあるいはパットを提供する。【解決手段】ブラジャーのカップ部に内装または装着する乳房サポート用の通気性のカップ３または通気性のパットはウレタンフォームから加熱成型された成型体であって、これら成型体は表面から裏面に連通するウレタンフォームの気泡より大径の複数の通気孔６を有する。【選択図】　　　　図１
0003099254.tif 000002
【実用新案登録請求の範囲】
【請求項１】
ブラジャー１のカップ部２に内装または装着する乳房サポート用のカップ３またはパット７はウレタンフォームから加熱成型された成型体であって、これら成型体は表面から裏面に連通するウレタンフォームの気泡より大径の複数の通気孔６を有することを特徴とするブラジャー１のカップ部２に内装または装着する乳房サポート用の通気性のカップ３または通気性のパット７。
【請求項２】
ウレタンフォームの気泡よりも大径の複数の通気孔６は２〜８ｍｍ径の通気孔６であることを特徴とする請求項１に記載のブラジャー１に内装または装着する乳房サポート用の通気性のカップ３または通気性のパット７。
【請求項３】
複数の通気孔６を有する成型体は表面および裏面がポリエステル繊維あるいは綿繊維からなる生地で被覆されていることを特徴とする請求項１または２に記載のブラジャーに内装または装着する乳房サポート用の通気性のカップ３または通気性のパット７。
【考案の詳細な説明】
【技術分野】
【０００１】
　本考案は、女性の乳房をサポートするためにブラジャーのカップ部に内装するカップまたはブラジャーのカップ部に装着するパットに関する。
【背景技術】
【０００２】
　従来、ブラジャーは乳房を安定にサポートし、かつ乳房形状を補整するために女性に必須の下着である。常用されているブラジャーは、バストのカップ部形状をしたウレタンフォームなどからなるカップ成型体をカップ部に内蔵したり、あるいはバストに沿うカップ立ち上がり部の周縁にアンダーバスト形状を補うパットを内蔵している。すなわち、バスト形状をしたカップ成型体をブラジャーに内装することによりバストの形状を補整したり、あるいは乳房立ち上がり部の周縁のアンダーバスト形状に沿う形状に形作られたパットをブラジャーのカップ部に装着することによりバストの形状を補整したりしている。これらのブラジャーの布地内に内蔵あるいは装着されたカップ成型体やパットは女性の乳房にフィットして乳房を下から支え、左右の乳房を寄せて持ち上げる形状に形作られており、乳房形状を補整し、バストの形状を美しく或いは大きく見せる機能を有する（例えば、特許文献１参照）。
【０００３】
　一方、ブラジャーに内装したウレタンフォームなどから成型されたカップ成型体やパットは乳房を豊かに見せることができ、バストのサポート機能として優れているが、例えば夏季の高湿度の下では、カップやパットのウレタンフォームの気泡は緻密であり、たとえ連続気泡からなっていても、それらの通気性は十分でなく、通気性が阻害され、そのために蒸れて必ずしも装着感触の点で十分でなかった。
【０００４】
【特許文献１】特開２０００−３１４００８公報
【考案の開示】
【考案が解決しようとする課題】
【０００５】
　本考案が解決しようとする課題は、ブラジャーに内装または装着してバストを豊かに見せると共に乳房の形状を補整機能により美しく保ち、さらに乳房をサポートする機能が高く、乳房に苦痛を与えることなく装着感触に優れ、かつ、通気性が良好で蒸れ解消機能を向上させたウレタンフォームからなるカップあるいはパットを提供することである。
【課題を解決するための手段】
【０００６】
　上記の課題を解決するための本考案の手段は、請求項１の考案では、ブラジャー１のカップ部２に内装または装着する乳房サポート用のカップ３またはパット７はウレタンフォームから加熱成型された成型体であって、これら成型体は表面から裏面に連通するウレタンフォームの気泡より大径の複数の通気孔６を有することを特徴とするブラジャー１のカップ部２に内装または装着する乳房サポート用の通気性のカップ３または通気性のパット７である。
【０００７】
　請求項２の考案では、ウレタンフォームの気泡よりも大径の複数の通気孔６は２〜８ｍｍ径の通気孔６であることを特徴とする請求項１の手段のブラジャー１に内装または装着する乳房サポート用の通気性のカップ３または通気性のパット７である。
【０００８】
　請求項３の考案では、複数の通気孔６を有する成型体は表面および裏面がポリエステル繊維あるいは綿繊維からなる生地で被覆されていることを特徴とする請求項１または２の手段のブラジャーに内装または装着する乳房サポート用の通気性のカップ３または通気性のパット７である。
【考案の効果】
【０００９】
　以上に説明したとおり、本考案はブラジャーのカップ部に内装あるいは装着するウレタンフォームから成型したポリウレタンフォームからなるカップあるいはパットは表面から裏面に達する複数の通気孔を開口しており、このためこのカップあるいはパットを内装あるいは装着するブラジャーは、従来の通常のポリウレタンフォームからなるカップあるいはパットを内装したブラジャーに比して汗などを外部に容易に放出することが出来る発汗性に優れており、通気性が良好で、蒸れ解消機能の高く、さらにこれらの通気性のカップあるいはパットを内装あるいは装着したブラジャーは、従来と同様にバストを豊かに見せると共に、乳房の形状を補整機能により美しく保ち、さらに乳房をサポートする機能に優れ、乳房に苦痛を与えることなく装着感触に優れるなど、従来にない優れた効果を奏するものである。
【考案を実施するための最良の形態】
【００１０】
　本考案の実施するための最良形態について、以下に図面を参照して説明する。図１はブラジャーのカップ部に内装する本考案の１実施の形態の通気性カップの成型体を示す平面図である。図２はカップ部に本考案の通気性カップを内装したブラジャーの模式図である。図３は本考案の通気性パットを示す模式図である。図４は本考案の通気性パットを装着したブラジャーの模式図である。
【００１１】
　本考案におけるブラジャー１は、ブラジャー１の乳房形状のカップ部２と、このカップ部２に内装するウレタンフォームから成型された通気性のカップ３と、乳房周辺の胸のほぼ平坦な肌に当接してカップ３を保持するためのブラジャーベース部９と、ブラジャーベース部９から身体の脇側から背中に延びるベルト１０と、カップ３の上方のブラジャーベース部９から肩に延び背中に達するストラップ１１とからなっている。もちろん、ブラジャー１にはレースやその他フリル部分などの装飾部分を有するが、この考案の実施の形態では省略している。
【００１２】
　本考案のブラジャー１のカップ部２に内装する通気性のカップ３の１実施の形態について説明する。図１に示すように、本考案のカップ３のカップ立ち上がり部５の周囲は平坦な胸に倣う細幅のカップ周縁部４を有し、この細幅のカップ周縁部４から直ぐにカップ立ち上がり部５を形成している。このカップ３はブラジャー１のカップ部２の布地中に内装されている。
【００１３】
　このカップ３を図１で説明すると、カップ３は厚さ１０〜１５ｍｍの平板状のウレタンフォームから加熱によるモールド成型してなるものである。すなわち、ウレタンフォームはカップ状の凹部と凸部を有する上金型と下金型からなる図示しない成型金型によりカップ状に加熱しながらモールド成型したものである。このモールド成型に先立って、先ず、径２〜８ｍｍのポンチの２０〜４０個をほぼ均等に下方に突出して有する上型と、これらのポンチを受けてポンチ刃先を保護するゴム板などの弾性板を表面に有する下型を用意する。次いで、この下型の上に厚さ１０〜１５ｍｍに予め発泡させた平板状のウレタンフォームを載置し、これらの上から上記の２０〜４０個のポンチを有する上型を載せ、下方に推してウレタンフォームをポンチで穿孔する。次いで、成型金型として、カップ形状に凹んだ下金型を用意し、この下金型に上記のポンチにより予備開口した厚さ１０〜１５ｍｍに発泡させた平板状のウレタンフォームをセットし、上方から成型金型の一方であるカップ形状に突出する上金型をセットして、例えば、約２００℃で約１００秒間の加熱成型をして通気性のカップ３の成型体を得る。カップ３の成型体にはその表面から裏面に達する通気孔６が形成されている。
【００１４】
　図示しないが、これらの通気性のカップ３にはその周縁部である細幅のカップ周縁部４内の厚さ方向の中央部を割いて生じた隙間内に、あらかじめ乳房サポート目的のカップ周縁形状に沿う円弧状かつ平板状の硬質プラスチックフレームを補整のために予め入れ込むで加熱成型することもできる。
【００１５】
　さらに、他の実施の形態では、上記のブラジャー１のカップ部に内装する通気性のカップ３に代えて、ブラジャー１のカップ部２の側部に内装する、あるいは、ブラジャー１の裏側のカップ部２の側部に設けたポケット８に装着するウレタンフォームにから形成の通気性のパット７とするものである。この通気性のパット７は楕円形状をしているが、上記した通気性のカップ３と同様に、予め、径２〜８ｍｍのポンチの２０〜４０個をほぼ均等に下方に突出して有する上型と、これらのポンチを受けてポンチ刃先を保護するゴム板などの弾性板を表面に有する下型を用意し、次いで、この下型の上に厚さ１０〜１５ｍｍに予め発泡させた平板状のウレタンフォームを載置し、これらの上から上記の２０〜４０個のポンチを有する上型を載せ、下方に推してウレタンフォームをポンチで穿孔する。次いで、成型金型として、パット形状の凹部を有する下金型を用意し、この下金型に上記のポンチにより予備開口した厚さ１０〜１５ｍｍに発泡させた平板状のウレタンフォームをセットし、上方から成型金型の一方であるパット形状に凹部を有する上金型をセットして、例えば、約２００℃で約１００秒間の加熱成型をして通気性のパット７の成型体を得る。通気性のパット７の成型体にはその表面から裏面に達する通気孔６が形成されている。
【００１６】
　この通気性のパット７の成型体をブラジャー１のカップ部２のサイドに内装する場合は、上記の通気性のパット７の成型体のままで使用するが、ブラジャー１のカップ部２のサイドに設けたポケットに後付けで挿入して使用するときは、通気性のパット７の成型体をさらにポリエステル繊維からなる生地で被覆したパット７とすることで、この通気性のパット７のみを別途商品として販売できる。
【産業上の利用可能性】
【００１７】
　ブラジャーに従来のものと同様に装着する本考案の通気性のあるカップあるいはパットはウレタンフォームにポンチで開口し、その後加熱成型することで容易に得ることができる。
【図面の簡単な説明】
【００１８】
【図１】ブラジャーのカップ部に内装する本考案の１実施の形態の通気性のカップの成型体を示す平面図である。
【図２】カップ部に本考案の通気性のカップを内装したブラジャーの模式図である。
【図３】本考案の通気性のパットを示す模式図である。
【図４】本考案の通気性のパットを装着したブラジャーの模式図である。
【符号の説明】
【００１９】
　１　ブラジャー
　２　カップ部
　３　カップ
　４　カップ周縁部
　５　カップ立ち上がり部
　６　通気孔
　７　パット
　８　ポケット
　９　ブラジャーベース部
　１０　ベルト
　１１　ストラップ
【図１】
0003099254.tif 000003
【図２】
0003099254.tif 000004
【図３】
0003099254.tif 000005
【図４】
0003099254.tif 000006